(57)【要約】【課題】本発明は、プラズマディスプレイパネル駆動の際、安定したリセット放電を生じることができるプラズマディスプレイ装置及びその駆動方法を提供する。【解決手段】本発明に係るプラズマディスプレイ装置及びその駆動方法は、ソースキャパシタに充電された第１の電圧を第１のキャパシタに充電し、該第１のキャパシタに充電された第１の電圧とセットアップ電圧とを足し算してセットアップパルスを前記スキャン電極に供給する。【選択図】図４
2007128079.tif 000002
【特許請求の範囲】
【請求項１】
スキャン電極を備えるプラズマディスプレイパネルと、
ソースキャパシタに充電された第１の電圧を第１のキャパシタに充電し、該第１のキャパシタに充電された第１の電圧とセットアップ電圧とを足し算してセットアップパルスを前記スキャン電極に供給するスキャン駆動部と、
を備えるプラズマディスプレイ装置。
【請求項２】
前記第１の電圧は、略サステイン電圧の１／２であることを特徴とする請求項１に記載のプラズマディスプレイ装置。
【請求項３】
前記第１の電圧は、複数のサブフィールドのうち、少なくともいずれか一つのサブフィールドのリセット期間に前記スキャン電極に供給されることを特徴とする請求項１に記載のプラズマディスプレイ装置。
【請求項４】
前記スキャン駆動部は、
ソースキャパシタに充電された電圧を利用して第１の電圧を第１のキャパシタに充電するエネルギー回収回路部と、
前記第１のキャパシタに充電された第１の電圧とセットアップ電圧とを足し算して前記セットアップパルスを前記スキャン電極に供給するセットアップ供給部と、
を備える請求項１に記載のプラズマディスプレイ装置。
【請求項５】
前記スキャン駆動部は、
前記第１の電圧が前記第１のキャパシタに充電される間、前記第１の電圧が前記スキャン電極に供給されないように、前記セットアップ供給部と前記スキャン電極との間に接続されたスイッチＱ７をターンオフすることを特徴とする請求項４に記載のプラズマディスプレイ装置。
【請求項６】
前記スキャン駆動部は、
前記第１の電圧が前記第１のキャパシタに充電される間、前記エネルギー回収回路部のＥＲ−ＵＰスイッチＱ１とＥＲ−ＤＯＷＮスイッチＱ２とをターンオンすることを特徴とする請求項４に記載のプラズマディスプレイ装置。
【請求項７】
前記スキャン駆動部は、
前記リセット期間のセットダウン期間の間、前記セットアップピーク電圧からサステイン電圧まで急激に立ち下がった後、緩やかに立ち下がるセットダウンパルスを前記スキャン電極に供給することを特徴とする請求項１に記載のプラズマディスプレイ装置。
【請求項８】
前記スキャン駆動部は、
前記リセット期間のセットダウン期間の間、前記セットアップピーク電圧から前記第１の電圧まで急激に立ち下がった後、緩やかに立ち下がるセットダウンパルスを前記スキャン電極に供給することを特徴とする請求項１に記載のプラズマディスプレイ装置。
【請求項９】
前記スキャン駆動部は、前記セットアップパルスの最大値電圧が所定期間維持されるようにすることを特徴とする請求項１に記載のプラズマディスプレイ装置。
【請求項１０】
複数のサブフィールドが各々リセット期間、アドレス期間、サステイン期間に分けられて駆動されるプラズマディスプレイ装置の駆動方法において、
前記リセット期間のセットアップ期間の間、前記サステイン期間の間スキャン電極に印加されるサステインパルスの電圧より低い第１の電圧からセットアップピーク電圧まで緩やかに立ち上がるセットアップパルスを前記スキャン電極に供給するステップと、
前記リセット期間のセットダウン期間の間、前記セットアップピーク電圧からサステインパルスの電圧まで急激に立ち下がった後、緩やかに立ち下がるセットダウンパルスを前記スキャン電極に供給するステップと、
を含むプラズマディスプレイ装置の駆動方法。
【請求項１１】
前記第１の電圧は、略サステインパルスの電圧の１／２であることを特徴とする請求項１０に記載のプラズマディスプレイ装置の駆動方法。
【請求項１２】
前記第１の電圧は、前記複数のサブフィールドのうち、少なくともいずれか一つのサブフィールドから前記スキャン電極に供給されることを特徴とする請求項１０に記載のプラズマディスプレイ装置の駆動方法。
【請求項１３】
前記第１の電圧は、エネルギー回収回路部のソースキャパシタから前記スキャン電極に供給されることを特徴とする請求項１０に記載のプラズマディスプレイ装置の駆動方法。
【請求項１４】
前記セットアップパルスは、前記セットアップパルスの最大値電圧で一定期間維持されることを特徴とする請求項１０に記載のプラズマディスプレイ装置の駆動方法。
【請求項１５】
複数のサブフィールドが各々リセット期間、アドレス期間、サステイン期間に分けられて駆動されるプラズマディスプレイ装置の駆動方法において、
前記リセット期間のセットアップ期間の間、前記サステインの期間の間スキャン電極に印加されるサステインパルスの電圧より低い第１の電圧からセットアップピーク電圧まで緩やかに立ち上がるセットアップパルスを前記スキャン電極に供給するステップと、
前記リセット期間のセットダウン期間の間、前記セットアップピーク電圧から前記第１の電圧まで急激に立ち下がった後、緩やかに立ち下がるセットダウンパルスを前記スキャン電極に供給するステップと、
を含むプラズマディスプレイ装置の駆動方法。
【請求項１６】
前記第１の電圧は、略サステインパルスの電圧の１／２であることを特徴とする請求項１５に記載のプラズマディスプレイ装置の駆動方法。
【請求項１７】
前記第１の電圧は、前記複数のサブフィールドのうち、少なくともいずれか一つのサブフィールドから前記スキャン電極に供給されることを特徴とする請求項１５に記載のプラズマディスプレイ装置の駆動方法。
【請求項１８】
前記第１の電圧は、エネルギー回収回路部のソースキャパシタから前記スキャン電極に供給されることを特徴とする請求項１５に記載のプラズマディスプレイ装置の駆動方法。
【請求項１９】
前記セットアップパルスは、前記セットアップパルスの最大値電圧で一定期間維持されることを特徴とする請求項１５に記載のプラズマディスプレイ装置の駆動方法。
【発明の詳細な説明】
【技術分野】
【０００１】
本発明は、プラズマディスプレイ装置及びその駆動方法に関する。
【背景技術】
【０００２】
一般に、プラズマディスプレイパネル（Plasma Display Panel）は、Ｈｅ＋Ｘｅ、Ｎｅ＋Ｘｅ、Ｈｅ＋Ｘｅ＋Ｎｅなどの不活性混合ガスが放電するときに発生する紫外線を利用して蛍光体を励起発光させることにより画像を表示する。
【０００３】
図１は、プラズマディスプレイパネルにおいて、２５６階調を実現するための８ビットデフォルトコードのサブフィールドパターンを示す図である。
【０００４】
同図に示すように、プラズマディスプレイパネルは、画像の階調を実現するために、一つのフレームを発光回数の異なる種々のサブフィールドに分けて時分割駆動する。
【０００５】
各サブフィールドは、全画面を初期化させるためのリセット期間、スキャンラインを選択し、選択されたスキャンラインで放電セルを選択するためのアドレス期間及び放電回数に応じて階調を実現するサステイン期間に分けられる。
【０００６】
例えば、２５６階調で画像を表示しようとする場合、１／６０秒に該当するフレーム期間（１６．６７ｍｓ）は、８個のサブフィールドＳＦ１ないしＳＦ８に分けられるようになる。８個のサブフィールドＳＦ１ないしＳＦ８の各々は、前述したように、リセット期間ＲＰ、アドレス期間ＡＰ、及びサステイン期間ＳＰに分けられる。この時、各サブフィールドのリセット期間ＲＰとアドレス期間ＡＰとは各サブフィールドごとに同一であることに対して、サステイン期間と、それに割り当てられるサステインパルスの数は、各サブフィールドで２ｎ（ｎ＝０、１、２、３、４、５、６、７）の割合で増加される。
【０００７】
図２は、従来のプラズマ表示装置の駆動波形を示す図である。
【０００８】
同図に示すように、サブフィールドＳＦの各々は、全画面の放電セルを初期化するためのリセット期間ＲＰ、放電セルを選択するためのアドレス期間ＡＰ、及び選択された放電セルの放電を維持させるためのサステイン期間ＳＰを含む。
【０００９】
リセット期間ＲＰにおいて、セットアップ期間ＳＵには全てのスキャン電極Ｙに立ち上がりランプ波形ＰＲが同時に印加される。この立ち上がりランプ波形ＰＲによって全画面のセル内には微弱な放電（セットアップ放電）が生じるようになり、セル内に壁電荷が生成される。セットダウン期間ＳＤには立ち上がりランプ波形ＰＲが印加された後、立ち上がりランプ波形ＰＲのピーク電圧より低い正極性のサステイン電圧Ｖｓから負極性のスキャン電圧−Ｖｙまで所定の傾きで立ち下がる立ち下がりランプ波形ＮＲがスキャン電極らＹに同時に印加される。立ち下がりランプ波形ＮＲは、セル内に微弱な消去放電を生じることによってセットアップ放電により生成された壁電荷及び空間電荷のうち、不要電荷を消去させて、全画面のセル内にアドレス放電に必要な壁電荷を均一に残留させる。
【００１０】
アドレス期間ＡＰには、負極性のスキャンパルスＳＣＮＰがスキャン電極Ｙに順次印加されると共に、アドレス電極に正極性のデータパルスＤＰが印加される。このスキャンパルスＳＣＮＰとデータパルスＤＰとの電圧差とリセット期間ＲＰに生成された壁電圧とが加えられながら、データパルスＤＰが印加されるセル内にはアドレス放電が発生する。アドレス放電によって選択されたセル内には壁電荷が生成される。
【００１１】
一方、セットダウン期間ＳＤとアドレス期間ＡＰとの間にサステイン電極Ｚには正極性のサステイン電圧Ｖｓが印加される。
【００１２】
サステイン期間ＳＰには、スキャン電極Ｙとサステイン電極Ｚとに交互にサステインパルスＳＵＳＰが印加される。すると、アドレス放電によって選択されたセルは、セル内の壁電圧とサステインパルスＳＵＳＰとが加えられながら、サステインパルスＳＵＳＰが印加される度に、スキャン電極Ｙとサステイン電極Ｚとの間に面放電形態でサステイン放電が生じる。
【００１３】
図３は、図２の駆動波形に応じてセットアップ期間の間発生する誤放電現象を説明するための図である。
【００１４】
一般に、セットアップ期間の間印加されるセットアップパルスは、２００ボルト内外のサステイン電圧Ｖｓに急激に立ち上がった後、一定の傾きでセットアップピーク電圧（Ｖｓ＋Ｖｓｔ）が立ち上がる形態である。
【００１５】
しかしながら、セットアップパルスがこのような２００ボルト内外の高電圧レベルを有するサステイン電圧Ｖｓに急激に立ち上がることにより、セットアップ期間の間誤放電を招いてプラズマ表示装置のコントラスト比の特性を低下させるという問題がある。
【００１６】
すなわち、正常的なセットアップ放電は図３に示すように、一定時間ランプ立ち上がりしたＢ時点で発生しなければならないが、以前のサブフィールドの放電セルの状態に応じてサステイン電圧ＶｓだけでＡ時点で誤放電が発生するという問題が生じる。
【発明の開示】
【発明が解決しようとする課題】
【００１７】
本発明は、上記の従来の問題を解決するためになされたものであって、その目的は、プラズマディスプレイパネルの駆動の際、安定したリセット放電を生じることができるプラズマディスプレイ装置及びその駆動方法を提供することにある。
【課題を解決するための手段】
【００１８】
本発明の一実施形態に係るプラズマディスプレイ装置は、スキャン電極を備えるプラズマディスプレイパネルと、ソースキャパシタに充電された第１の電圧を第１のキャパシタに充電し、該第１のキャパシタに充電された第１の電圧とセットアップ電圧とを足し算してセットアップパルスを前記スキャン電極に供給するスキャン駆動部とを備える。
【００１９】
また、本発明の一実施形態に係るプラズマディスプレイ装置の駆動方法は、リセット期間のセットアップ期間の間、前記サステイン期間の間スキャン電極に印加されるサステインパルスの電圧より低い第１の電圧からセットアップピーク電圧まで緩やかに立ち上がるセットアップパルスを前記スキャン電極に供給するステップと、前記リセット期間のセットダウン期間の間、前記セットアップピーク電圧からサステインパルスの電圧まで急激に立ち下がった後、緩やかに立ち下がるセットダウンパルスを前記スキャン電極に供給するステップとを含む。
【００２０】
さらに、本発明の一実施形態に係るプラズマディスプレイ装置の駆動方法は、リセット期間のセットアップ期間の間、前記サステインの期間の間スキャン電極に印加されるサステインパルスの電圧より低い第１の電圧からセットアップピーク電圧まで緩やかに立ち上がるセットアップパルスを前記スキャン電極に供給するステップと、前記リセット期間のセットダウン期間の間、前記セットアップピーク電圧から前記第１の電圧まで急激に立ち下がった後、緩やかに立ち下がるセットダウンパルスを前記スキャン電極に供給するステップとを含む。
【００２１】
前記第１の電圧は、略サステインパルスの電圧の１／２であり得る。
【００２２】
前記第１の電圧は、前記複数のサブフィールドのうち、少なくともいずれか一つのサブフィールドから前記スキャン電極に供給され得る。
【００２３】
前記セットアップパルスは、前記セットアップの最大値電圧で一定期間維持され得る。
【発明の効果】
【００２４】
本発明は、プラズマディスプレイパネルの駆動の際、安定したリセット放電を生じることができるという効果がある。
【発明を実施するための最良の形態】
【００２５】
以下、本発明の実施形態を添付された図面を参照して詳細に説明する。
【００２６】
図４は、本発明の一実施形態に係るプラズマディスプレイ装置を示した図である。
【００２７】
図４に示すように、本発明の一実施形態に係るプラズマディスプレイ装置は、プラズマディスプレイパネル１００、データ駆動部１１０、スキャン駆動部１３０、サステイン駆動部１５０、タイミングコントローラ１７０、及び駆動電圧発生部１９０を備える。
【００２８】
プラズマディスプレイパネル１００は、前面パネル（図示せず）と後面パネル（図示せず）とが一定の間隔をおいて合着され、前面パネルには、スキャン電極Ｙ１ないしＹｎ及びサステイン電極Ｚが対をなして形成され、後面パネルには、スキャン電極Ｙ１ないしＹｎ及びサステイン電極Ｚが交差されるようにアドレス電極Ｘ１ないしＸｍが形成される。
【００２９】
データ駆動部１１０は、図示しない逆ガンマ補正回路、誤差拡散回路などにより逆ガンマ補正及び誤差拡散された後、サブフィールドマッピング回路によって予め設定されたサブフィールドパターンにマッピングされたデータが供給される。このデータ駆動部１１０は、タイミングコントローラ１７０の制御下においてデータをサンプリングしラッチした後、そのデータＤＰをアドレス電極Ｘ１ないしＸｍに供給する。
【００３０】
スキャン駆動部１３０は、タイミングコントローラ１７０の制御下においてリセット期間の間、全画面を初期化するためにスキャン電極Ｙ１ないしＹｎに緩やかに立ち上がるセットアップパルス又は緩やかに立ち下がるセットダウンパルスのうち、少なくともいずれか一つを含むリセットパルスを印加する。スキャン駆動部１３０は、リセットパルスがスキャン電極Ｙ１ないしＹｎに供給された後、アドレス期間の間スキャンラインを選択するためにスキャン電極Ｙ１ないしＹｎにスキャン基準電圧Ｖｓｃと、スキャン基準電圧から所定電圧−Ｖｙまで立ち下がるスキャンパルスＳＣＮＰとを供給する。
【００３１】
また、スキャン駆動部１３０は、サステイン期間の間、アドレス期間において選択されたセルでサステイン放電が生じるようにするサステインパルスＳＵＳＰをスキャン電極Ｙ１ないしＹｎに供給する。
【００３２】
サステイン駆動部１５０は、タイミングコントローラ１７０の制御下においてリセット期間内の少なくとも一部の期間の間、正極性のＺ−バイアス電圧Ｖｓをサステイン電極Ｚに供給した後、サステイン期間の間、スキャン駆動部１３０と交代に動作してサステインパルスＳＵＳＰをサステイン電極Ｚに供給する。
【００３３】
タイミングコントローラ１７０は、垂直・水平同期信号を受信し、各駆動部に必要とするタイミング制御信号ＣＴＲＸ、ＣＴＲＹ、ＣＴＲＺを発生し、そのタイミング制御信号ＣＴＲＸ、ＣＴＲＹ、ＣＴＲＺを当該駆動部１１０、１３０、１５０に供給することによって各駆動部１１０、１３０、１５０を制御する。
【００３４】
データ駆動部１１０に印加されるタイミング制御信号ＣＴＲＸには、データをサンプリングするためのサンプリングクロック、ラッチ制御信号、エネルギー回収回路部と駆動スイッチ素子のオン・オフタイムを制御するためのスイッチ制御信号が含まれる。スキャン駆動部１３０に印加されるタイミング制御信号ＣＴＲＹには、スキャン駆動部１３０内のエネルギー回収回路部と駆動スイッチ素子のオン・オフタイムを制御するためのスイッチ制御信号が含まれる。サステイン駆動部１５０に印加されるタイミング制御信号ＣＴＲＺには、サステイン駆動部１５０内のエネルギー回収回路と駆動スイッチ素子のオン・オフタイムを制御するためのスイッチ制御信号が含まれる。
【００３５】
駆動電圧発生部１９０は、サステイン電圧Ｖｓ、セットアップ電圧Ｖｓｅｔｕｐ、Ｚ−バイアス電圧Ｖｓ、データ電圧Ｖａ、セットダウン電圧−Ｖｙ、スキャン電圧−Ｖｙ、スキャン基準電圧Ｖｓｃなどを含む各駆動部１１０、１３０、１５０において必要とする各種駆動電圧を発生する。このような駆動電圧は放電ガスの組成や放電セルの構造によって変わることができる。
【００３６】
図５は、図４のスキャン駆動部に含まれた駆動回路を示した図であり、図６は、図５の駆動回路の動作により発生した駆動波形を示した図である。
【００３７】
図５及び図６に示すように、本発明の一実施形態に係るプラズマ表示装置は、スキャン電極Ｙを含むプラズマディスプレイパネルＣｐと、１／２サステイン電圧レベルのセットアップバイアス電圧からセットアップピーク電圧へ緩やかに立ち上がるセットアップパルスを、少なくとも一つ以上のサブフィールドのセットアップ期間の間スキャン電極に供給するスキャン駆動部とを含む。
【００３８】
図５において、プラズマディスプレイパネルは、スキャン電極Ｙとサステイン電極Ｚ（図示せず）との間に形成される静電容量で等価的に示したパネルキャパシタＣｐとして表現した。
【００３９】
スキャン駆動部は、エネルギー回収回路部４１、ドライブ集積回路部４６、セットアップ供給部４２、セットダウン供給部４３、スキャン電圧供給部４４、スキャン基準電圧供給部４５、セットアップ供給部４２とドライブ集積回路部４６との間に接続される第７のスイッチＱ７、及びセットアップ供給部４２とエネルギー回収回路部４１との間に接続される第６のスイッチＱ６とを含む。
【００４０】
ドライブ集積回路部４６はプッシュプル型で接続され、エネルギー回収回路部４１、セットアップ供給部４２、セットダウン供給部４３、スキャン電圧供給部４４、及びスキャン基準電圧供給部４５から電圧信号が入力される第１２のスイッチ及び第１３のスイッチＱ１２、Ｑ１３から構成される。第１２のスイッチ及び第１３のスイッチＱ１２、Ｑ１３間の出力ラインはスキャン電極ラインのうち、いずれか一つに接続される。
【００４１】
エネルギー回収回路部４１は、スキャン電極Ｙから回収されるエネルギーを充電するためのソースキャパシタＣｓと、該ソースキャパシタＣｓとドライブ集積回路部４６との間に接続される第１のインダクタＬ１と、該第１のインダクタＬ１とソースキャパシタＣｓとの間に並列に接続される第１のスイッチＱ１、第１のダイオードＤ１、第２のダイオードＤ２、及び第２のスイッチＱ２を含む。
【００４２】
このようなエネルギー回収回路部４１の動作過程を説明すれば、次の通りである。
【００４３】
まず、ソースキャパシタＣｓには、サステインパルスの電圧より低い第１の電圧、望ましくは、１／２サステイン電圧（Ｖｓ／２）レベルの電圧が充電されていると仮定する。
【００４４】
第１のスイッチＱ１がターンオンされると、ソースキャパシタＣｓに充電された電圧は第１のスイッチＱ１、第１のダイオードＤ１、第１のインダクタＬ１、第６のスイッチＱ６の内部ダイオード及び第７のスイッチＱ７を経由してドライブ集積回路部４６に供給され、ドライブ集積回路部４６は、自分に供給された電圧をスキャン電極Ｙに供給する。この時、第１のインダクタＬ１は、パネルキャパシタＣｐと共に直列ＬＣ共振回路を構成することになるので、スキャン電極Ｙにはサステイン電圧Ｖｓレベルの電圧が供給される。
【００４５】
続いて、第３のスイッチＱ３がターンオンされる。第３のスイッチＱ３がターンオンされると、サステイン電圧Ｖｓが第６のスイッチＱ６の内部ダイオード、第７のスイッチＱ７を経由してドライブ集積回路部４６に供給される。ドライブ集積回路部４６は、自分に供給されたサステイン電圧をスキャン電極Ｙに供給する。サステイン電圧Ｖｓによりスキャン電極Ｙ上の電圧レベルはサステイン電圧Ｖｓを維持し、これにより、放電セルでサステイン放電が生じるようになる。
【００４６】
放電セルでサステイン放電が生じた後、第２のスイッチＱ２がターンオンされる。第２のスイッチＱ２がターンオンされると、スキャン電極Ｙ、ドライブ集積回路部４６、第７のスイッチＱ７の内部ダイオード、第６のスイッチＱ６、第１のインダクタＬ１、第２のダイオードＤ２、及び第２のスイッチＱ２を経由して無効電力がソースキャパシタＣｓに回収される。すなわち、ソースキャパシタＣｓにパネルキャパシタＣｐからのエネルギーが回収される。次いで、第４のスイッチＱ４がターンオンされてスキャン電極Ｙ上の電圧を基準電位ＧＮＤとして維持する。
【００４７】
このように、エネルギー回収回路部４１は、パネルキャパシタＣｐからエネルギーを回収した後、回収されたエネルギーを利用してスキャン電極Ｙ上に電圧を供給することにより、セットアップ期間とサステイン期間との放電時に過度な消費電力を低減するようになる。
【００４８】
スキャン電圧供給部４４は、第３のノードＮ３とスキャン電圧源−Ｖｙとの間に接続された第９のスイッチＱ９を含む。第９のスイッチＱ９は、アドレス期間の間、図示しないタイミングコントローラから供給される制御信号に応答して切り換えられることにより、スキャン電圧−Ｖｙをドライブ集積回路部４６に供給する。
【００４９】
スキャン基準電圧供給部４５は、スキャン基準電圧源Ｖｓｃと第３のノードＮ３との間に接続される第２のキャパシタＣ２と、スキャン基準電圧源Ｖｓｃと第３のノードＮ３との間に接続される第１０のスイッチＱ１０及び第１１のスイッチＱ１１を備える。第１０のスイッチＱ１０及び第１１のスイッチＱ１１は、アドレス期間の間、タイミングコントローラ（図示せず）から供給される制御信号に応じて切り換えられながら、スキャン基準電圧源Ｖｓｃの電圧をドライブ集積回路部４６に供給する。第２のキャパシタＣ２は、第３のノードＮ３に印加される電圧とスキャン基準電圧源Ｖｓｃの電圧値とを合せて第１０のスイッチＱ１０に供給する。
【００５０】
セットダウン供給部４３は、第３のノードＮ３とスキャン電圧源−Ｖｙとの間に接続される第８のスイッチＱ８を含む。セットダウン供給部４３は、リセット期間に含まれるセットダウン期間の間、ドライブ集積回路部４６に供給される電圧をスキャン電圧−Ｖｙまで傾きをもって徐々に立ち下がるようにする。
【００５１】
セットアップ供給部４２は、セットアップ電圧源Ｖｓｅｔｕｐと第１のノードＮ１との間に接続された第３のダイオードＤ３及び第５のスイッチＱ５と、セットアップ電圧源Ｖｓｅｔｕｐとエネルギー回収回路部４１との間に接続された第１のキャパシタＣ１とを含む。第３のダイオードＤ３は、第１のキャパシタＣ１からセットアップ電圧源Ｖｓｅｔｕｐ側に流れる逆方向電流を遮断する。第１のキャパシタＣ１は、エネルギー回収回路部４１から供給される第１の電圧とセットアップ電圧源Ｖｓｅｔｕｐの電圧値とを合せて第５のスイッチＱ５に供給する。第５のスイッチＱ５は、リセット期間の間、図示しない制御信号に応答して切り換えられることにより、セットアップピーク電圧を第２のノードＮ２に供給する。この場合、セットアップピーク電圧を所定時間供給できるように第５のスイッチを一定時間ターンオンさせる。
【００５２】
この過程を図７を参照してさらに詳細に説明する。
【００５３】
図７ａ及び図７ｂは、図６の駆動波形のうち、セットアップパルスとその実現のためのスイッチタイミングを示した図である。
【００５４】
まず、図７ａの破線に示すように、第１のスイッチＱ１をターンオンすると、ソースキャパシタＣｓに充電された第１／２サステイン電圧（１／２・Ｖｓ）がソースキャパシタＣｓ、第１のスイッチＱ１、第１のダイオードＤ１、第１のインダクタＬ１を経て、第１のノードＮ１は１／２サステイン電圧（１／２・Ｖｓ）レベルとなる。この時、第１のノードＮ１の電圧が正常状態に達するように、第１のスイッチＱ１のターンオン状態を一定期間維持することが好ましい。
【００５５】
次に、第１のスイッチＱ１をターンオンした状態で第５のスイッチＱ５と第７のスイッチＱ７とをターンオンすると、第１のノードＮ１に印加された１／２サステイン電圧（１／２Ｖｓ）は第６のスイッチＱ６の内部ダイオード、第７のスイッチＱ７、及びドライブ集積回路部４６を経由してスキャン電極Ｙに供給される。したがって、スキャン電極Ｙの電圧は１／２サステイン電圧（１／２・Ｖｓ）に立ち上がる。
【００５６】
一方、第１のキャパシタＣ１に負極性端子にＶｓ／２の電圧が供給されるため、第１のキャパシタＣ１はＶｓ／２＋Ｖｓｅｔｕｐの電圧を第５のスイッチＱ５に供給する。
【００５７】
第５のスイッチＱ５は、自分の前端に設けられた第１の可変抵抗Ｒ１によってチャネル幅が調節され、且つ、第１のキャパシタＣ１から供給される電圧を所定の傾きをもって第２のノードＮ２に供給する。第２のノードＮ２に所定の傾きをもって印加される電圧は、第７のスイッチＱ７及びドライブ集積回路部４６を経由してスキャン電極Ｙに供給される。
【００５８】
こうすることで、スキャン電極Ｙに１／２サステイン電圧（１／２Ｖｓ）レベルの第１の電圧からセットアップピーク電圧（１／２Ｖｓ＋Ｖｓｔ）へ緩やかに立ち上がるセットアップパルスが印加される。この場合、セットアップパルスのピーク電圧が一定期間維持できるように、第５のスイッチ、第７のスイッチを一定時間（Δt）ターンオンする。
【００５９】
スキャン電極Ｙにセットアップパルスが供給された後、第５のスイッチＱ５はターンオフし、第３のスイッチをターンオンする。このようにすれば、エネルギー回収回路部４１から供給されるサステイン電圧Ｖｓだけが第２のノードＮ２に印加され、これにより、スキャン電極Ｙ１の電圧はサステイン電圧Ｖｓに立ち下がる。
【００６０】
図７ｂに示すように、セットアップパルスを実現するためのスイッチングタイミングは図７ａと同様である。但し、スキャン電極Ｙに立ち上がるセットアップパルスが供給された後、１／２サステイン電圧（１／２Ｖｓ）レベルの第１の電圧まで急激に立ち下がった後、緩やかに立ち下がるセットダウンパルスが供給されるように、第３のスイッチＱ３、第５のスイッチＱ５、及び第７のスイッチＱ７をターンオフし、第１のスイッチＱ１を一定期間ターンオンさせる。
【００６１】
図７ａ及び図７ｂにおいて、第１の電圧からセットアップピーク電圧へ緩やかに立ち上がるセットアップパルスは、複数のサブフィールドのうち、少なくともいずれか一つのサブフィールドのセットアップ期間の間スキャン電極に供給されることができる。
【００６２】
これにより、セットアップ期間の間の誤放電無しに、安定したリセット放電を生じることができる。
【００６３】
本発明は、上記の実施形態に限定されるものではなく、本発明に係る技術的思想から逸脱しない範囲内で様々な変更が可能であり、それらも本発明の技術的範囲に属する。
【図面の簡単な説明】
【００６４】
【図１】プラズマディスプレイパネルにおいて、２５６階調を実現するための８ビットデフォルトコードのサブフィールドパターンを示した図である。
【図２】従来のプラズマ表示装置の駆動波形を示した図である。
【図３】図２の駆動波形に応じてセットアップ期間の間発生する誤放電現象を説明するための図である。
【図４】本発明の一実施形態に係るプラズマディスプレイ装置を示した図である。
【図５】図４のスキャン駆動部に含まれた駆動回路を示した図である。
【図６】図５の駆動回路の動作により発生した駆動波形を示した図である。
【図７ａ】図６の駆動波形のうち、セットアップパルスとその実現のためのスイッチタイミングを示した図である。
【図７ｂ】図６の駆動波形のうち、セットアップパルスとその実現のためのスイッチタイミングを示した図である。
【図１】
2007128079.tif 000003
【図２】
2007128079.tif 000004
【図３】
2007128079.tif 000005
【図４】
2007128079.tif 000006
【図５】
2007128079.tif 000007
【図６】
2007128079.tif 000008
【図７ａ】
2007128079.tif 000009
【図７ｂ】
2007128079.tif 000010